(57)【要約】【課題】正面から観察したときに従来の回折格子には見られない黒さを表現するとともに、大きく傾けて観察したときの回折光の射出方向を制御できるようにした表示体及びこれを用いた情報印刷物を提供する。【解決手段】光透過性の基材１１の光入射面と反対の面に複数の凸部（及び凹部の何れか一方または両方）１４ａによりレリーフ構造１４を形成したレリーフ構造領域１２ａ及びレリーフ構造１４が形成されない非レリーフ構造領域１２ｂが設けられ、レリーフ構造領域１２ａ及び非レリーフ構造領域１２ｂを覆われるように光反射層が設けられ、レリーフ構造領域１２ａに複数の仮想曲線１５が間隔をおいて平行に設けられ、凸部（及び凹部の何れか一方または両方）１４ａが複数の各仮想曲線１５に沿い間隔をおいて配列される構成にした。【選択図】図３
2010249982.tif 000002
【特許請求の範囲】
【請求項１】
光透過性の基材を有し、
前記基材の一方の面に複数の凸部及び凹部の何れか一方または両方によりレリーフ構造を形成したレリーフ構造領域及び前記レリーフ構造が形成されない非レリーフ構造領域が設けられ、
前記レリーフ構造領域の少なくとも一部を覆うように光反射層が設けられ、
前記凸部及び凹部の何れか一方または両方は、前記レリーフ構造領域に互いに平行に延在する複数の仮想曲線上で該仮想曲線に沿い間隔をおいて配列され、
前記仮想曲線の間隔が２００ｎｍ乃至５００ｎｍの範囲に設定されている、
ことを特徴とする表示体。
【請求項２】
光透過性の基材を有し、
前記基材の一方の面に複数の凸部及び凹部の何れか一方または両方によりレリーフ構造を形成したレリーフ構造領域及び前記レリーフ構造が形成されない非レリーフ構造領域が設けられ、
前記レリーフ構造領域の少なくとも一部を覆うように光反射層が設けられ、
前記凸部及び凹部の何れか一方または両方は、前記レリーフ構造領域に互いに平行に延在する複数の仮想曲線上で該仮想曲線に沿い間隔をおいて配列され、
前記仮想曲線の間隔が２００ｎｍ乃至５００ｎｍの範囲に設定され、
前記複数の仮想曲線は同心円または同心円弧または波型を呈している、
ことを特徴とする表示体。
【請求項３】
前記レリーフ構造領域は複数有し、該複数のレリーフ構造領域は前記基材の一方の面にマトリクス状に配列されていることを特徴とする請求項１または２記載の表示体。
【請求項４】
前記複数のレリーフ構造領域において、前記レリーフ構造の前記凸部及び凹部の何れか一方または両方の配置パターンまたは前記凸部及び凹部の何れか一方または両方のピッチもしくは前記凸部の高さまたは前記凹部の深さの少なくとも１つが互いに異なり、当該異なる前記複数のレリーフ構造領域が互いに隣接して配置されていることを特徴とする請求項３記載の表示体。
【請求項５】
印刷物基材と、
前記印刷物基材の表面の少なくとも一部の領域に設けられた請求項１乃至４の何れか１項に記載の表示体と、
を備えることを特徴とする情報印刷物。
【発明の詳細な説明】
【技術分野】
【０００１】
本発明は、肉眼での真偽判定が容易であるセキュリティ性の高い偽造防止機能を備えた表示体及び情報印刷物に関する。
【背景技術】
【０００２】
パスポートやクレジットカード、ＩＤカード、商品券や小切手等の有価証券類は、偽造が困難であることが望まれる。そのため、そのような物品は、物品自体が偽造または模造が困難であるとともに、偽造を抑制するために、偽造品や模造品を容易に区別できるようなラベルが貼り付けられている。
また、近年では、前記物品以外にもブランド品などにおいて偽造品が流通する点が問題となっているため、上記した偽造防止技術の需要は増えている。
【０００３】
偽造防止技術として、回折格子パターンが知られている。回折格子パターンは、光を回折させる方向や角度、明るさ等を制御することで、観察する角度に応じて絵柄を変化させることや、立体像を表示することが可能である。
回折格子パターンの原版を作製する方法としては、電子ビーム露光装置を用い、かつコンピュータ制御により、感光性レジストが塗布された平面状の基板が載置されたＸ−Ｙステージを移動させて、基板の表面に回折格子パターンを形成する方法がある（例えば特許文献１参照）。
【０００４】
ここで、回折格子のパラメータとしては、
（１）回折格子の空間周波数（格子線のピッチ）
（２）回折格子の方向（格子線の方向）
（３）回折格子の描画領域（回折格子パターンの配置）
の３つがある。
そして、（１）に応じて、定点に対してその回折格子パターンが光って見える色が変化し、（２）に応じて、その回折格子パターンが光って見える方向が変化し、（３）に応じて、表示パターン（絵柄や文字等）が決定される。
そこで、基板の表面を数十乃至数百μｍ程度の微小領域に分割し、各領域毎にこれらのパラメータを様々に変化させることで、絵柄や文字等を表現することができる。
【０００５】
上記のような方法により作製された、凹凸形状からなる回折格子パターンの原版から、電鋳等の方法により金属製のスタンパーを作製し、この金属製スタンパーを母型として透明基材上に熱可塑性樹脂や光硬化性樹脂を塗布し、金属製スタンパーを密着させ、熱や光を与えることで樹脂を硬化させ回折格子パターンを複製する。
複製された回折格子パターンは通常透明であるので、アルミニウム等の金属や誘電体の薄膜層を蒸着する等の方法により、光反射層を設けた後、紙やプラスチックフィルム等の基材上に接着層を介して貼付され、さらに必要に応じて印刷層や回折格子パターン層の汚れや傷を防止するための保護層が設けられ、有価証券類やカード類が作製される。
【０００６】
特許文献２には、正面から観察したときに黒く見え、所定の方向へ大きく傾けて観察したときのみ絵柄や文字などを表現できる、といった従来の回折格子パターンにはない見え方をする表示体について記載されている。
最近では、回折格子パターンが用いられる機会が増え、技術が広く認知されるようになってきている。ゆえに、回折格子パターン自体を偽造する技術が高度化したために、偽造品や模造品の発生が増加傾向にある。
特許文献２に記載の表示体は、従来の回折格子パターンとは見え方が大きく異なることから、従来の回折格子パターンとは明確に差別化することができる。また、従来よりも技術がより高度であるため、より高い偽造防止効果を期待できる。
【先行技術文献】
【特許文献】
【０００７】
【特許文献１】特開２０００−３９５０８
【特許文献２】ＷＯ２００８−０５０６４１
【発明の概要】
【発明が解決しようとする課題】
【０００８】
しかしながら、特許文献２に記載の表示体は、凹凸構造がマトリクス状に整然配置され、一定間隔となる方向が定まっており、回折光を射出できる方向が限られている。ゆえに、回折光を視認し難いといえる。
【０００９】
本発明は、上記のような点に鑑みなされたもので、正面から観察したときに従来の回折格子には見られない黒さを表現するとともに、大きく傾けて観察したときの回折光の射出方向を制御できるようにした表示体及びこれを用いた情報印刷物を提供することを目的とする。
【課題を解決するための手段】
【００１０】
上記の目的を達成するために請求項１の発明は、表示体であって、光透過性の基材を有し、前記基材の一方の面に複数の凸部及び凹部の何れか一方または両方によりレリーフ構造を形成したレリーフ構造領域及び前記レリーフ構造が形成されない非レリーフ構造領域が設けられ、前記レリーフ構造領域の少なくとも一部を覆うように光反射層が設けられ、
前記凸部及び凹部の何れか一方または両方は、前記レリーフ構造領域に互いに平行に延在する複数の仮想曲線上で該仮想曲線に沿い間隔をおいて配列され、前記仮想曲線の間隔が２００ｎｍ乃至５００ｎｍの範囲に設定されていることを特徴とする。
【００１１】
請求項２の発明は、表示体であって、光透過性の基材を有し、前記基材の一方の面に複数の凸部及び凹部の何れか一方または両方によりレリーフ構造を形成したレリーフ構造領域及び前記レリーフ構造が形成されない非レリーフ構造領域が設けられ、前記レリーフ構造領域の少なくとも一部を覆うように光反射層が設けられ、前記凸部及び凹部の何れか一方または両方は、前記レリーフ構造領域に互いに平行に延在する複数の仮想曲線上で該仮想曲線に沿い間隔をおいて配列され、前記仮想曲線の間隔が２００ｎｍ乃至５００ｎｍの範囲に設定され、前記複数の仮想曲線は同心円または同心円弧または波型を呈していることを特徴とする。
【００１２】
請求項３の発明は、請求項１または２記載の表示体において、前記レリーフ構造領域は複数有し、該複数のレリーフ構造領域は前記基材の一方の面にマトリクス状に配列されていることを特徴とする。
【００１３】
請求項４の発明は、請求項３記載の表示体において、前記複数のレリーフ構造領域に形成されたレリーフ構造の凸部及び凹部の何れか一方または両方が配列される仮想曲線の配列パターンまたは前記凸部及び凹部の何れか一方または両方のピッチもしくは前記凸部の高さまたは前記凹部の深さの少なくとも１つが互いに異なり、当該異なる前記複数のレリーフ構造領域が複数互いに隣接して配置されていることを特徴とする。
【００１４】
請求項５の発明は、情報印刷物であって、印刷物基材と、前記印刷物基材の表面の少なくとも一部の領域に設けられた請求項１乃至４の何れか１項に記載の表示体とを備えることを特徴とする。
【発明の効果】
【００１５】
本発明の表示体及びこれを用いた情報印刷物によれば、正面から観察したときに従来の回折格子には見られない黒さを表現するとともに、大きく傾けて観察したときの回折光の射出方向を制御できるようにした表示体及びこれを用いた情報印刷物を提供することが可能となる。
【図面の簡単な説明】
【００１６】
【図１】本発明の実施の形態にかかる表示体を概略的に示す平面図である。
【図２】図１に示す表示体のＡ−Ａ線に沿った断面図である。
【図３】図１及び図２に示す表示体のレリーフ構造領域に採用可能な構造の一例を示す平面図である。
【図４】図１及び図２に示す表示体のレリーフ構造領域に採用可能な構造の一例を示す斜視図である。
【図５】本実施の形態にかかるレリーフ構造領域が回折光を射出する様子を示す説明図である。
【図６】本実施の形態にかかるＸＹ平面に垂直な平面がＹＺ平面となす角度がθであることを示す説明用の立体図である。
【図７】一般的なレリーフ構造領域に凸部及び凹部の何れか一方または両方をマトリクス状に配置したパターンの例を示す概略平面図である。
【図８】本実施の形態にかかるレリーフ構造領域に凸部及び凹部の何れか一方または両方を仮想曲線に沿い配置したパターンの例を示す概略平面図である。
【図９】本実施の形態にかかるレリーフ構造領域に凸部及び凹部の何れか一方または両方を同心円状の仮想曲線に沿い配置したパターンの例を示す概略平面図である。
【図１０】本実施の形態にかかるレリーフ構造領域に凸部及び凹部の何れか一方または両方を同心円弧状の仮想曲線に沿い配置したパターンの例を示す概略平面図である。
【図１１】本実施の形態にかかるレリーフ構造領域に凸部及び凹部の何れか一方または両方を、曲線の中心が直線状に並ぶ楕円状の仮想曲線に沿い配置したパターンの例を示す概略平面図である。
【図１２】本実施の形態にかかる同一形状のレリーフ構造領域をマトリクス状に並べて構成された表示体の例を示す概略平面図である。
【図１３】本実施の形態にかかる１つのレリーフ構造領域で構成された表示体の例を示す概略平面図である。
【図１４】形状の異なる複数のレリーフ構造領域をマトリクス状に並べて構成された表示体の例を概略的に示す平面図。
【図１５】本発明にかかる偽造防止用または識別用ラベルを物品に支持させてなる情報印刷物の一例を示す概略平面図である。
【図１６】図１５に示す情報印刷物の説明用斜視図である。
【発明を実施するための形態】
【００１７】
以下、本発明にかかる表示体及びこれを用いた情報印刷物の具体的な実施の形態について、図面を参照しながら詳細に説明する。
表示体１０は、図１及び図２に示すように、一方の面を光入射面１１ａとする光透過性の基材１１と、光反射層１３を備える。
基材１１の光入射面１１ａと反対の面１１ｂには、複数の凸部１４ａからなるレリーフ構造１４を有する複数のレリーフ構造領域１２ａ及びレリーフ構造１４が形成されない非レリーフ構造領域１２ｂが設けられている。そして、光反射層１３は、レリーフ構造領域１２ａの全部またはこれらの少なくとも一部を覆うように積層されている。
レリーフ構造領域１２ａは、基材１１の光入射面１１ａから入射される照明光に対し低反射性と低散乱性を有するとともに照明光を回折して光入射面１１ａ側へ射出する回折光射出機能を有している。
【００１８】
上記レリーフ構造領域１２ａのレリーフ構造１４は、図３及び図４に示すように、レリーフ構造領域１２ａに一定の間隔をおいて互いに平行に延在する円弧状の複数の仮想曲線１５上に円錐状の凸部１４ａを仮想曲線１５に沿い配列形成することで構成される。
【００１９】
なお、本発明におけるレリーフ構造領域１２ａのレリーフ構造１４は、図３及び図４に示すような円錐状の凸部１４ａからなるものに限らず、凹部及び凸部の一方または両方から構成されるものであっても良い。
この場合の凸部または凹部は、基材１１の光入射面１１ａと反対の面１１ｂと平行な方向の凸部または凹部の断面積を面１１ｂから凸部の先端または凹部の深さ方向に行くに従い減少させる傾斜面を含んで構成されている。
また、レリーフ構造１１を構成する凸部または凹部の形状は円錐状のものに限らず、円角錐状、楕円錐状、円柱状、円筒状、角柱状、角筒状などの凹部または凸部が基材１１の光入射面１１ａと反対の面１１ｂに沿い配列して形成されたものでもよい。
【００２０】
次に、レリーフ構造領域１２ａに起因する表示体１０の視覚効果について説明する。
図５において、３１は照明光を示し、３２は正反射光を示し、３３は１次回折光を示している。
このようなレリーフ構造領域において、凸部（及び凹部の一方または両方）１４ａが配列された互いに隣接する仮想曲線１５間の距離が、図３及び図４に示すある方向において一定の間隔であるとき、レリーフ構造領域を照明すると、レリーフ構造領域は、入射光である照明光の進行方向に対して、ある特定の方向に回折光を射出する。
【００２１】
本実施の形態において最も代表的な回折光は、１次回折光である。この１次回折光の射出角βは、下記等式（１）から算出することができる。
ｄ＝λ／（ｓｉｎα−ｓｉｎβ）・・・・・・・・・・・・・・・・・・（１）
この等式（１）において、ｄは凹部または凸部の中心間距離を表し、λは入射光及び回折光の波長を表している。また、αは入射光の入射角を表している。なお、α、βは、Ｚ軸から時計回りの方向を正方向とする。
等式（１）から明らかなように、１次回折光の射出角βは、照明光３１の波長λに応じて変化する。すなわち、レリーフ構造領域は、分光器としての機能を有している。したがって、照明光が白色光である場合、レリーフ構造領域の観察角度を変化させると、観察者が知覚する色が変化する。
【００２２】
また、ある観察条件のもとで観察者が知覚する色は、中心間距離ｄに応じて変化する。一例として、レリーフ構造領域は、その法線方向に１次回折光を射出するとする。すなわち、１次回折光の射出角βは、０°であるとする。そして、観察者は、この１次回折光を知覚するとする。このときの０次回折光の射出角をαＮとすると、等式（１）は、下記等式（２）へと簡略化することができる。
ｄ＝λ／ｓｉｎαＮ・・・・・・・・・・・・・・・・・・・・・・・・（２）
等式（２）から明らかなように、観察者に特定の色を知覚させるには、その色に対応した波長λと照明光の入射角｜αＮ｜と中心間距離ｄとを、それらが等式（２）に示す関係を満足するように設定すればよい。
【００２３】
後述するように、レリーフ構造領域１２ａに設けられた仮想曲線１５間の距離は２００ｎｍ乃至５００ｎｍの範囲内にある。そのため、照明光３１に対する正反射光３２の反射率を著しく低減させることができ、また、構造の周期性により照明光３１の入射角度によっては可視光の１次回折光３３を特定方向に射出させることができる。
したがって、例えば、表示体１０をその法線方向から観察した場合、レリーフ構造領域１２ａは黒色に見える。なお、ここで、「黒色」は、例えば、表示体１０に法線方向から光を照射し、正反射光の強度を測定したときに、波長が４００ｎｍ乃至７００ｎｍの範囲内にある全ての光成分について反射率が１０％以下であることを意味する。それゆえ、レリーフ構造領域１２ａは、あたかも黒色印刷層のように見える。
一般的に、波長が４００ｎｍ乃至７００ｎｍの範囲内にある全ての光成分について反射率が２５％以下であれば、概ね黒色であるように見える。
【００２４】
また、レリーフ構造領域１２ａからの１次回折光３３の射出角が−９０°乃至９０°の範囲内であれば、表示体１０の法線方向と観察方向とがなす角度を適宜設定することにより、観察者は、レリーフ構造領域１２ａからの１次回折光３３を知覚することができる。それゆえ、この場合、レリーフ構造領域１２ａが黒色印刷層とは異なることを、目視により確認することができる。
すなわち、レリーフ構造領域１２ａは、入射光に対する正反射光の反射率を著しく低減させることができ、また、構造の周期性により入射光の入射角度によっては可視光の反射回折光を特定方向に発生させることができる。したがって、多くの観察条件下では、レリーフ構造領域１２ａは黒く見え、非レリーフ構造領域１２ｂは、光反射層１３による反射光が観察されるため、コントラストが大きく付いた画像が表示できる。
【００２５】
一方、上記の１次回折光３３が観察される条件下では、回折光を観察することができるため、通常は黒色に表示された画像が観察角度を変えていくことによって光って見えるような特有の視覚効果を付与することができる。
したがって、この表示体１０を偽造防止用として使用すると、従来の回折格子パターンでは表現できない特徴的な視覚効果を得られることから、高い偽造防止効果を実現することができる。
【００２６】
電子線によるフォトレジストへの記録という方法を用いて、本発明の構造を備えた原版を作製することができる。
次に、電鋳等の方法により原版から金属製スタンパーを作製し、この金属製スタンパーを用いて熱可塑性樹脂や光硬化性樹脂にエンボス加工を行うことにより、同一の表示体を精密に量産できる。
【００２７】
図６は、ＸＹ平面に垂直な平面ｐと、ＹＺ平面のなす角度がθであることを示している。なお、θはＹ軸から時計回りの方向を正方向とする。また、θは不等式（３）の範囲内とする。
０°≦θ＜１８０°・・・・・・・・・・・・・・・・・・・・・・・（３）
図６で示すθは、後述する図７乃至図１７においても、同じ意味を持っているとする。
【００２８】
図７は、レリーフ構造領域１２ａに凸部（及び凹部の一方または両方）１４ａをマトリクス状に配置してレリーフ構造を構成したものであるが、本発明の実施の形態におけるレリーフ構造領域１２ａに採用可能な例には当てはまらない。また、図８乃至図１２に示す構造のレリーフ構造領域は、本発明の実施の形態におけるレリーフ構造領域１２ａに採用可能なものである。
【００２９】
すなわち、図７では、凸部（及び凹部の一方または両方）１４ａはＸ方向及びＹ方向に沿って規則的に配置されている。ゆえに、回折光を射出させることができるのは、θの値が０°または９０°の場合の入射光のみであり、かつ、その上で、等式（１）を満たす場合、回折光を射出させることができる。なお、図７に示す符号３４は回折光の射出方向を表している。
ゆえに、図７に示す構造から射出される回折光を観察するには、観察者がＸ軸またはＹ軸上から構造を眺める必要があるため、回折光を観察できる範囲は、非常に限定的なものとなる。
【００３０】
図８では、凸部（及び凹部の一方または両方）１４ａは、同一の形状の仮想曲線１６を、Ｙ方向へ一定の間隔で並べた複数の仮想曲線上に配置されている。このため、図８の場合は、図７の構造の場合とは異なり、仮想曲線１６間の距離が一定となる方向が、ＹＺ平面に平行な方向のみには限られない。ゆえに、図７の構造の場合、θが特定の値の入射光においてのみ、回折光を射出させることができる一方で、図８の構造の場合、回折光を射出させることが可能であるためのθは、特定の値ではなく、特定の範囲内であればよい。
すなわち、図８の構造を採用した場合、図７の構造の場合と比較すると、回折光を観察できる方向が広くなり、より高い視認性を得ることができる。
また、凹凸構造の配列の方法によって、回折光の射出方向θを制御できるため、観察する方向によって意図した波長の回折光が射出できるように設計することも可能である。すなわち、図８の構造を採用した場合、図７の構造の場合と比較すると、見る方向によって色や絵柄を変化させることができるため、より広い絵柄の表現を可能としている。なお、図８に示す符号３４は回折光の射出方向を表している。
【００３１】
図９では、凸部（及び凹部の一方または両方）１４ａは、同心円状の複数の仮想曲線１６上に配置されている。この図９に示す構造のレリーフ構造領域１２ａを採用した場合、θの値によらず回折光を射出させることが可能である。また、回折光の波長は、θの値によらず一定の値とすることができる。
【００３２】
図１０では、凸部（及び凹部の一方または両方）１４ａは、同心楕円状の複数の仮想曲線１６上に配置されている。この図１０に示す構造のレリーフ構造領域１２ａを採用した場合、θの値によらず回折光を射出させることが可能である。また、回折光の波長は、θの値によって変えることができる。
【００３３】
図１１では、凸部（及び凹部の一方または両方）１４ａは、略円弧の曲率を徐々に変化させながらＹ方向へ間隔を空けて並べた、曲線の中心が直線状に並ぶ複数の仮想曲線１６上に配置されている。図８では同一形状の仮想曲線１６が平行に並び、仮想曲線１６は、図１０では同心円、図１１では同心楕円であるが、図１１の仮想曲線１６は、図８、図１０、図１１の形状とは異なっている。
しかし、図１２に示す構造のレリーフ構造領域１２ａを採用した場合でも、仮想曲線１６間の間隔が一定となる方向においては、回折光を射出させることが可能である。
【００３４】
図１２は、同一形状である複数のレリーフ構造領域１２ａをマトリクス状に並べて構成された表示体１０を示しており、実線で示した同心円上にレリーフ構造が設けられている。個々のレリーフ構造領域１２ａは図９に示すレリーフ構造領域１２ａと同様な構造となっているが、図１２においては、詳細な構造の表示は省略している。
【００３５】
図１３は、１つのレリーフ構造領域１２ａで構成された表示体１０を示している。この図１３のレリーフ構造領域１２ａの形状は、図１２に示すレリーフ構造領域１２ａと同様に、同心円に沿って設けられた凸部（及び凹部の一方または両方）１４ａからなるレリーフ構造となっている。
【００３６】
図１２、図１３はいずれも、レリーフ構造領域１２ａの形状がほぼ同一であるため、表示体１０の視覚効果は、図１２、図１３双方ともほぼ同一であるといえる。しかし、微細加工技術などを用いて原版を形成する工程においては、図１２の場合、同一形状のレリーフ構造領域１２ａを繰り返し加工すればよいため、図１３の場合と比較すると、加工を行う際に必要なデータ量が少なくて済む。
ゆえに、図１２のように、同一形状のレリーフ構造領域１２ａを隣接配置すると、図１３とほぼ同一の視覚効果を得ることができる一方で、加工の際の労力を軽減することができる。
表示体１０は、レリーフ構造領域１２ａと非レリーフ構造領域１２ｂとを備えている。ゆえに、レリーフ構造領域１２ａと非レリーフ構造領域１２ｂの配置方法によって、視覚効果の差異を生じさせて絵柄を描くことが可能である。つまり、図１２のように、同一形状のレリーフ構造領域１２ａのみを用いた場合においても、レリーフ構造領域１２ａの有無、すなわち、レリーフ構造領域１２ａと非レリーフ構造領域１２ｂの配置の組み合わせ方によって、絵柄を表現することができる。
【００３７】
図１４は、形状の異なる複数のレリーフ構造領域２１、２２をマトリクス状に並べて構成された表示体１０を示している。
図１４に示す表示体をＹ方向の所定の位置から観察した場合、レリーフ構造領域２１、２２は双方とも同一の波長の回折光を観察できる。一方で、Ｘ方向の所定の位置から観察した場合、レリーフ構造領域２１とレリーフ構造領域２２では、仮想曲線間の間隔が異なるため、これらの仮想曲線に沿って配置された凸部（及び凹部の一方または両方）間の間隔も異なり、その結果、異なる波長の回折光を観察できるか、または、いずれか一方のレリーフ構造領域のみの回折光を観察できる。
ゆえに、複数の異なる形状のレリーフ構造領域を並べることによって、前記レリーフ構造領域を絵柄の構成要素として、表示体に絵柄を表示することができる。
【００３８】
図１５は、偽造防止用または識別用ラベルを印刷物に支持させてなる情報印刷物を示している。
この情報印刷物１００は、磁気カードであって、基材５１を含んでいる。基材５１は例えば、プラスチックからなる。基材５１の表面には、印刷層５２と帯状の磁気記録層５３とが形成されている。さらに、基材５１の表面には、表示体１０が偽造防止用または識別用ラベルとして貼り付けられている。
この情報印刷物１００は、レリーフ構造領域１２ａと非レリーフ構造領域１２ｂを備えて表示体１０を含んでいる。ゆえに、上記の通り、この情報印刷物１００の偽造または模造は困難である。
【００３９】
図１６は、図１５に示した情報印刷物１００を斜めに傾けた状態を示している。
図１５に示すように、情報印刷物１００を正面から観察した場合、表示体１０には月のマークのみが表れる。ところが、図１６に示すように、情報印刷物１００を一定の角度から観察した場合、表示体１０には月のマークに加えて、星のマークも表れる。
情報印刷物１００を正面から観察した場合、表示体１０の月のマークを除く部分は全て黒色に見えており、あたかも黒色印刷層のように見える。しかし、実際には、図１６に示すように、星のマークの部分はレリーフ構造領域１２ａであるため、傾けることによって回折光を射出させることができる。
【００４０】
このように情報印刷物１００は、表示体１０を含んでいるため、目視により、真正品であるか否かを判別することが可能である。
図１６に示すレリーフ構造領域１２ａの構造が、例えば、図１２に示すように、凸部（及び凹部の一方または両方）が、複数の同心円上に配置されてなる場合、図１６におけるレリーフ構造領域１２ａ、すなわち、星のマークは、いかなるθの値においても目視で確認することができる。
【００４１】
上記のように、表示体をステッカー、転写箔などの媒体とし情報印刷物などに貼り付けることは、貼付した情報印刷物の偽造防止効果の向上、真偽判定の容易さを向上させることが可能である。
【符号の説明】
【００４２】
１０……表示体、１１……光透過層、１１ａ……光入射面、１１ｂ……光入射面と反対の面、１２ａ……レリーフ構造領域、１２ｂ…非レリーフ構造領域、１３…反射層、１４……レリーフ構造、１４ａ……凸部（または凹部）、１５……仮想曲線、１６……仮想曲線、２１，２２……レリーフ構造領域、３１……入射光、３２……正反射光、３３……１次回折光、３４……回折光射出方向、５１……基材、５２……印刷層、５３……磁気記録層、１００…情報印刷物。
【図１】
2010249982.tif 000003
【図２】
2010249982.tif 000004
【図３】
2010249982.tif 000005
【図４】
2010249982.tif 000006
【図５】
2010249982.tif 000007
【図６】
2010249982.tif 000008
【図７】
2010249982.tif 000009
【図８】
2010249982.tif 000010
【図９】
2010249982.tif 000011
【図１０】
2010249982.tif 000012
【図１１】
2010249982.tif 000013
【図１２】
2010249982.tif 000014
【図１３】
2010249982.tif 000015
【図１４】
2010249982.tif 000016
【図１５】
2010249982.tif 000017
【図１６】
2010249982.tif 000018